(57)【要約】【課題】抽出対象物から成分を抽出溶媒に抽出できるとともに、積み重ねが自在な抽出容器を提供することにある。【解決手段】抽出対象物から成分を抽出溶媒に抽出する抽出容器（１）であって、熱伝導性が悪い合成樹脂で形成され、前記抽出対象物と前記抽出溶媒を投入する開口部（１０ｈ）を有し、前記抽出対象物と前記抽出溶媒を収容する中空の本体部（１０）と、前記本体部から外側に突出するように形成され、前記抽出溶媒を外側に排出する注ぎ口部（２０）と、前記本体部（１０）の開口部側の端部である開口縁部（１１）の内側に形成され、他の抽出容器を載置する載置部（１２）とを備え、前記載置部（１２）の内形形状は、前記本体部の底部（１４）の外形形状と同一又は略同一に形成されていることを特徴とする。【選択図】図１
2019076245.tif 000002
【特許請求の範囲】
【請求項１】
抽出対象物から成分を抽出溶媒に抽出する抽出容器（１）であって、
熱伝導性が悪い合成樹脂で形成され、前記抽出対象物と前記抽出溶媒を投入する開口部（１０ｈ）を有し、前記抽出対象物と前記抽出溶媒を収容する中空の本体部（１０）と、
前記本体部から外側に突出するように形成され、前記抽出溶媒を外側に排出する注ぎ口部（２０）と、
前記本体部（１０）の開口部側の端部である開口縁部（１１）の内側に形成され、他の抽出容器を載置する載置部（１２）とを備え、
前記載置部（１２）の内形形状は、前記本体部の底部（１４）の外形形状と同一又は略同一に形成されている
ことを特徴とする抽出容器。
【請求項２】
請求項１に記載された抽出容器であって、
前記載置部に載置され、前記開口部を塞ぐための平らな蓋部（４０）と、
前記蓋部の表面から内側に凹むように形成され、他の抽出容器を載置する積重部（４２）とを備え、
前記積重部（４２）の内形形状は、前記本体部の底部（１３）の外形形状と同一又は略同一に形成されている
ことを特徴とする抽出容器。
【請求項３】
請求項１又は２に記載された抽出容器であって、
前記本体部に取り付けられ、前記抽出溶媒と前記抽出対象物を分離する網目状の濾過部（３０）を備える、
ことを特徴とする抽出容器。
【請求項４】
請求項１〜３のいずれか１項に記載された抽出容器であって、
前記本体部（１０）は、全部又は一部が光を透過するように透明又は半透明に形成されている
ことを特徴とする抽出容器。
【請求項５】
請求項４に記載された抽出容器であって、
前記本体部（１０）は、厚み寸法が６ｍｍ〜２０ｍｍである
ことを特徴とする抽出容器。
【請求項６】
請求項５に記載された抽出容器であって、
前記本体部は、ビスフェノールＡを含まないコポリエステルである
ことを特徴とする抽出容器。
【発明の詳細な説明】
【技術分野】
【０００１】
本発明は、抽出容器に関する。さらに詳しくは、抽出対象物から成分を抽出溶媒に抽出できるとともに、積み重ねが自在な抽出容器に関するものである。
【背景技術】
【０００２】
抽出対象物から成分を抽出溶媒に抽出することができる抽出容器がある。例えば、茶葉（抽出対象物）から所定の成分をお湯（抽出溶媒）に抽出してお茶にする抽出容器として急須がある。お茶は、急須の中空の本体部に茶葉を入れて、湯を注ぎ入れてつくられる。おいしいお茶をつくるためには、急須の本体部内において、茶葉が開くまで、数十秒から数分程度蒸らす必要がある。
【０００３】
急須は、蒸らす時間において、注いだ湯が冷めないように保温性が良い磁器や陶器で形成されているものが多い。また、急須は、蒸らす間に茶葉が開く様子がわかるように、透明な硝子製のものもある。このような、磁器、陶器及び硝子等で製造された急須は、断熱性が悪く本体部を直接持つと熱いため、取っ手等が取り付けられているものが多い。このような取っ手等は急須の本体とは別の部材を用意しなければならず、部品点数が増えてしまう。さらに、合成樹脂で製造された透明な急須は、射出成形による成形に際して、ヒケやボイドができてしまうため、２ｍｍ程度の薄いものが多い。このような急須は、断熱性が悪く本体部を直接持つと熱く、その薄さゆえに硝子製のものと比較して安っぽい印象を受けてしまう。このように、急須には様々な提案がなされているが、特許文献を基に従来の技術を説明する。
【０００４】
例えば、土びん１の上に土びん２を重ね、都合によってはその逆に重ねることができるために、狭い器物棚等へ収めておく場合に場所を占めない重ね土びんの技術が知られている（特許文献１参照）。また、飲料サーバに、魔法瓶や電気保温ポットにおけるような特別な構造、機構を備えさせることなく、しかも、従来の土瓶やティーポットのようなサーバでは不十分な保湿機能を向上させた飲料サーバの技術が知られている（特許文献２参照）。
【先行技術文献】
【特許文献】
【０００５】
【特許文献１】実開昭４８−９２６２号公報
【特許文献２】特開２００２−１７５４３号公報
【発明の概要】
【発明が解決しようとする課題】
【０００６】
特許文献１に記載された重ね土びんは、陶磁器により形成されたものである。このように、重ね土びんは、比較的重く壊れやすい陶磁器で形成されているため、危険を防止するため多くの数を積重ねられないという問題点があった。また、重ね土びんは、陶磁器により形成されているため断熱性が悪く直接持つことができないため、持ち手として把手や吊手が必要であり、部品点数が多くなるという問題点があった。また、特許文献２に記載された飲料サーバは、デザインにまとまりがない上に部品点数が多く、収納に不便であるという問題点があった。
【０００７】
本発明は、以上のような従来の問題点を解決するために創作されたもので、次の目的を達成する。本発明の目的は、収納が容易な抽出容器に関するものである。本発明の他の目的は、まとまりが良く意匠性に優れた抽出容器に関するものである。本発明の他の目的は、断熱性に優れた抽出容器に関するものである。
【課題を解決するための手段】
【０００８】
本発明は、前記目的を達成するために次の手段をとる。
本発明１の抽出容器は、抽出対象物から成分を抽出溶媒に抽出する抽出容器であって、熱伝導性が悪い合成樹脂で形成され、前記抽出対象物と前記抽出溶媒を投入する開口部を有し、前記抽出対象物と前記抽出溶媒を収容する中空の本体部と、前記本体部から外側に突出するように形成され、前記抽出溶媒を外側に排出する注ぎ口部と、前記本体部の開口部側の端部である開口縁部の内側に形成され、他の抽出容器を載置する載置部とを備え、前記載置部の内形形状は、前記本体部の底部の外形形状と同一又は略同一に形成されていることを特徴とする。
【０００９】
本発明２の抽出容器は、本発明１において、前記載置部に載置され、前記開口部を塞ぐための平らな蓋部と、前記蓋部の表面から内側に凹むように形成され、他の抽出容器を載置する積重部とを備え、前記積重部の内形形状は、前記本体部の底部の外形形状と同一又は略同一に形成されていることを特徴とする。
【００１０】
本発明３の抽出容器は、本発明１又は２において、前記本体部に取り付けられ、前記抽出溶媒と前記抽出対象物を分離する網目状の濾過部とを備える、ことを特徴とする。
【００１１】
本発明４の抽出容器は、本発明１〜３のいずれかにおいて、前記本体部は、全部又は一部が光を透過するように透明又は半透明に形成されていることを特徴とする。
【００１２】
本発明５の抽出容器は、本発明４において、前記本体部は、厚み寸法が６ｍｍ〜２０ｍｍであることを特徴とする。
【００１３】
本発明６の抽出容器は、本発明５において、前記本体部は、ビスフェノールＡを含まないコポリエステルであることを特徴とする。
【発明の効果】
【００１４】
本発明の抽出容器は、収納が容易である。本発明の抽出容器は、まとまりが良く意匠性にすぐれている。本発明の抽出容器は、断熱性に優れている。
【図面の簡単な説明】
【００１５】
【図１】図１は、本発明の第一実施形態を適用した抽出容器１を積重ねた状態を示す外観図である。
【図２】図２は、図１を切断面αで切断した状態を示す断面図である。
【図３】図３は、図１を切断面βで切断した状態を示す断面図である。
【図４】図４は、抽出容器１を分解した状態を示す外観図である。
【図５】図５は、抽出容器１を分解した状態を示す断面図である。
【図６】図６は、本発明の第二実施形態を適用した抽出容器１０１を示す外観図である。
【発明を実施するための形態】
【００１６】
〔本発明の第一実施形態〕
以下、本発明の抽出容器１について、図面に基づいて、本発明の第一実施形態として詳細に説明する。図１は、本発明の第一実施形態を適用した抽出容器１を積重ねた状態を示す外観図である。図２は、図１を切断面αで切断した状態を示す断面図である。図３は、図１を切断面βで切断した状態を示す断面図である。図４は、抽出容器１を分解した状態を示す外観図である。図５は、抽出容器１を分解した状態を示す断面図である。
【００１７】
なお、図１に示すように、矢印Ｕ方向を上方向とし、その逆方向である矢印Ｄ方向を下方向として説明を行う。水平面内で上下方向と直交する一の方向である矢印Ｌ方向を左方向とし、直交する他の方向である矢印Ｒ方向を右方向として説明を行う。図１に示すように、上下方向及び左右方向と直交する上側の方向である矢印Ｆ方向を前方向とし、下側の方向である矢印Ｂ方向を後方向として説明を行う。上方向側の面、下方向側の面、前方向側の面、後方向側の面、左方向側の面及び右方向側の面をそれぞれ平面、底面、正面、背面、左側面、右側面として説明を行う。
【００１８】
〔抽出容器１〕
図１に示すように、抽出容器１は、茶葉（抽出対象物）から成分をお湯（抽出溶媒）に抽出してお茶にする急須であり、本体部１０、注ぎ口部２０、濾過部３０及び蓋部４０とから構成されている。抽出容器１は、熱伝導性が悪く、耐熱温度が１００℃であり断熱性に優れ、ビスフェノールＡが含まれていないコポリエステルで形成されている。コポリエステルとしては、イーストマンケミカル社が製造販売している原料プラスチックであるトライタン、商品名「ＥＡＳＴＭＡＮ ＴＲＩＴＡＮ コポリエステル」を使用している。抽出容器１は、前記本体部１０及び蓋部４０が、全部又は一部が光を透過するように透明又は半透明に形成されている。
【００１９】
〔本体部１０〕
図１乃至４に示すように、本体部１０は、投入された茶葉とお湯を収容してお茶を抽出するための中空の容器であり、円形形状の底部１４とその周囲に起立した略円筒形状の壁部１３とから構成されている。本体部１０は、コポリエステルを射出成形することにより、底部１４と壁部１３とが一体に形成されている。本体部１０は、茶葉と湯を収容できるように、底部１４に対向する側が開口した開口部１０ｈが形成されている。本体部１０は、壁部１３の開口部１０ｈ側の端部である開口縁部１１が略環状形状に形成されている。開口縁部１１には、載置部１２、通気部１６及び注ぎ口部２０とが形成されている。
【００２０】
載置部１２は、濾過部３０や蓋部４０を載置するための部位であり、図２に示すように階段状に形成され、図４に示すように略環状形状に形成されている。底部１４は、壁部１３が起立する縁の部分に厚みをもたせた縁部１５が形成されている。図５に示すように、底部１４は、蓋部４０で開口部１０ｈを塞いだ状態で抽出容器１を持ちやすくするために、その中心部分が上方向側に若干凹むように形成され、縁部１５が丸みを帯びるように形成されている。通気部１６は、蓋部４０で開口部１０ｈを塞いだ状態で、注ぎ口部２０からお茶を滑らかに注ぎ出すための空気の取り入れ口である。通気部１６は、略環状形状の開口縁部１１の略中心に対して、注ぎ口部２０と対称な位置に、開口縁部１１を切り欠いて形成されている。
【００２１】
図２に示すように、本体部１０は、壁部１３の一部の厚み寸法ｗ１が約６ｍｍで形成され、底部１４の一部の厚み寸法ｗ２が約６．７５ｍｍで形成され、縁部１５の一部の厚み寸法ｗ３が約２０ｍｍで形成されている。載置部１２の内径寸法は、底部１４の外径寸法と同一又は略同一に形成されている。図５に示すように、載置部１２は、その直径ｄ１が約９１．６ｍｍであり、底部１４は、その直径ｄ２が約８６．３ｍｍであり、開口縁部１１の外形形状は、その直径ｄ３が約９７．８ｍｍである。本体部１０は、壁部１３や底部１４の厚みを一般的なコポリエステル製の容器の厚み（約２ｍｍ）に比べて厚くすることで、直接つかんでも火傷をすることがない。また、本体部１０は、縁部１５の厚みを壁部１３や底部１４の厚みよりも厚くすることで、合成樹脂でありながら高級感のあるどっしりとしたガラスのような質感が得られる。
【００２２】
〔注ぎ口部２０〕
注ぎ口部２０は、本体部１０で抽出されたお茶を排出するための部位であり、図１に示すように、本体部１０の開口縁部１１から外側に突出するように形成されている。注ぎ口部２０は、略環状形状の開口縁部１１の略中心に対して、通気部１６と対称な位置に、開口縁部１１を湾曲するように形成されている。注ぎ口部２０は、開口縁部１１を下方向側に湾曲するように形成されているため、載置部１２に蓋部４０が載置されても開口縁部１１の部分に隙間ができる。このため、蓋部４０で開口部１０ｈを塞いだ状態でもお茶を排出することができる。
【００２３】
〔濾過部３０〕
濾過部３０は、本体部１０で抽出されたお茶と茶葉を分離するための部位であり、図４及び５に示すように、篩部３１と鍔部３２とから構成されている。篩部３１は、茶葉を受け止めるための篩であり、半球殻状にされた網目状のステンレス鋼で形成されている。鍔部３２は、本体部１０に濾過部３０を載置するための部位であり、篩部３１の開口縁に沿って取り付けられている。鍔部３２は、環状形状にされたステンレス鋼で形成されている。鍔部３２は、その外径寸法が、載置部１２の内径寸法と同一又は略同一に形成されている。図５に示すように、本例において、鍔部３２は、その直径ｄ４が約９０ｍｍであり、載置部１２は、その直径ｄ１が約９１．６ｍｍである。
【００２４】
〔蓋部４０〕
蓋部４０は、本体部１０の開口部１０ｈを塞ぐための部位である。図４及び図５に示すように、蓋部４０は、蓋本体部４１、上側環状部４２及び下側環状部４４とから構成されている。蓋部４０は、コポリエステルを射出成形することにより、蓋本体部４１、上側環状部４２及び下側環状部４４が一体に形成されている。図２に示すように、蓋本体部４１は、平らな円盤状に形成されており、その厚み寸法ｗ４は約２．８ｍｍで形成されている。図５に示すように、蓋本体部４１は、その表面に上側環状部４２が形成され、その裏面に下側環状部４４が一体に形成されている。上側環状部４２は、蓋本体部４１の表面の縁を沿うように環状形状に形成され、その内側に積重部４３が形成されている。
【００２５】
図１、図４及び図５に示すように、上側環状部４２の外径寸法は、開口縁部１１の外径寸法と同一又は略同一に形成されている。図５に示すように、本例において、上側環状部４２の外形形状はその直径ｄ５が約９８．６ｍｍであり、開口縁部１１の外形形状はその直径ｄ３が約９７．８ｍｍである。積重部４３は、他の抽出容器１を載置するための円形形状の平らな部位であり、上側環状部４２の表面から蓋本体部４１に向かって凹むように形成されている。図３に示すように、積重部４３の内径寸法は、本体部の底部１４の外径寸法と同一又は略同一に形成されている。本例において、積重部４３の内形形状はその直径ｄ６が約８７．１ｍｍであり、底部１４の外形形状はその直径ｄ２が約８６．３ｍｍである。
【００２６】
図４及び図５に示すように、下側環状部４４は、蓋本体部４１の裏面の縁を沿うように環状形状に形成されている。図３に示すように、下側環状部４４の外径寸法は、載置部１２の内径寸法と同一又は略同一に形成されている。図５に示すように、本例において、下側環状部４４は、その直径ｄ７が約９１．７ｍｍであり、載置部１２は、その直径ｄ１が約９１．６ｍｍである。下側環状部４４は、図２及び図５に示すように、通気部１６にあわせてその一部が切り欠かれた切欠部４５が形成されている。蓋部４０で開口部１０ｈを塞ぐときに、切欠部４５と通気部１６とを合わせることで、通気部１６から空気の取り入れができるため、注ぎ口部２０からお茶を滑らかに注ぎ出すことができる。
【００２７】
〔目盛り部５０〕
目盛り部５０は、本体部１０に収納された抽出溶媒の量を認識するための部位である。図５に示すように、目盛り部５０は、本体部１０に直接凹凸をつけることにより形成されたものであり、お茶を１杯だけ抽出するために最適なお湯（抽出溶媒）の量を測るための印である。本例においては、目盛り部５０は、本体部１０に収容されるお湯（抽出溶媒）の量が１２０ｃｃになるように、壁部１３に横線で印づけられている。目盛り部５０は、射出成形で成形される本体部１０の金型に付けられた凹凸により形成される。
【００２８】
〔急須の使用方法〕
次に、抽出容器１の使用方法について説明する。本例においては、異なる二種類の茶葉を用意して、二種類のお茶の味比べをする場合を想定して説明をする。二個の抽出容器１を用意して、それぞれの抽出容器１に濾過部３０を取り付ける。載置部１２に鍔部３２を載置することで、抽出容器１に濾過部３０は取り付けられる。取り付けられたそれぞれの濾過部３０の篩部３１に異なる茶葉（抽出対象物）を入れた後、それぞれの抽出容器１にお湯(注出溶媒)を目盛り部５０の位置まで注いで、蓋部４０で開口部１０ｈを塞ぐ。
【００２９】
蓋部４０で開口部１０ｈを塞ぐことで、それぞれの茶葉（抽出対象物）を十分蒸らして、茶葉（抽出対象物）から成分をお湯（抽出溶媒）に抽出して二種類のお茶をつくる。抽出容器１は、本体部１０がビスフェノールＡを含まないコポリエステルで形成されているため、お茶に有害な成分が入らない。蓋部４０の上側環状部４２の外径寸法は、開口縁部１１の外径寸法と同一又は略同一に形成されている。このため、蓋部４０につまみがなくても、蓋部４０で開口部１０ｈを塞ぐ動作と、蓋部４０を本体部１０から取り外す動作が容易である。抽出容器１でつくられた２種類のお茶は、注ぎ口部２０からそれぞれの湯飲みに注がれる。
【００３０】
抽出容器１は、耐熱温度が１００℃のコポリエステルで形成され、その壁部１３の一部の厚み寸法ｗ１が約６ｍｍで形成され、底部１４の一部の厚み寸法ｗ３が約６．７５ｍｍで形成されているため、直接つかんでも火傷をすることがない。抽出容器１は、本体部１０の透明度が高いため、入れられた茶葉（抽出対象物）や抽出されたお茶がよく見える。抽出容器１は、底部１４の中心部分が上方向側に若干凹むように形成され、縁部１５が丸みを帯びるように形成されているため持ちやすく、蓋部４０と底部１４をつまんだ状態でお茶を注ぐ動作ができる。図１、図２及び図３に示すように、お茶を注いだ後に蓋部４０で開口部１０ｈを塞いだ状態で二個の抽出容器１を積み重ねる。抽出容器１は、積重部４３の内径寸法が、本体部の底部１４の外径寸法と同一又は略同一に形成されている。このため、一の抽出容器１の積重部４３に他の抽出容器１の底部がしっかりと嵌め込まれるとともに、外観においてまとまりよく積み重ねることができる。
【００３１】
蓋部４０の上側環状部４２の外径寸法は、本体部１０の開口縁部１１の外径寸法と同一又は略同一に形成されている。このため、蓋部４０につまみ等がついていなくても本体部１０との着脱が容易である。本例において、お茶を注いだ後に二個の抽出容器１を積み重ねているが、お茶が中に入っている状態で積み重ねてもよく、何も入っていないときに積み重ねても良い。特に棚の中などに収納するときには、本体部１０に出っ張った取っ手がなく、蓋部４０につまみ等がついていないため、積み重ねて収納ができるため場所をとることがなく便利である。
【００３２】
〔本発明の第二実施形態〕
本発明の第二実施形態を図面に基づいて詳細に説明する。なお、この第二実施形態の抽出容器１０１は、前述した第一実施形態の抽出容器１とほぼ同様の構成である。このため、異なる構成である壁部１１３、底部１１４、注ぎ口部１２０及び濾過部１３０の詳細な説明はするが、同様の構成である蓋部１４０については説明は省略する。図６に示すように、底部１１４は、壁部１１３が起立する縁の部分に厚みをもたせないように形成されている。
【００３３】
底部１１４は、その中心部分が下方向側に若干突出するように形成されている。壁部１１３と底部１１４とは、厚み寸法が約６ｍｍで形成されている。注ぎ口部１２０は、図６に示すように、壁部１１３の一部から外側に突出するように筒状に形成されている。濾過部１３０は、本体部１１０で抽出されたお茶と茶葉を分離するための部位であり、図６に示すように、篩部１３１と嵌合部１３２とから構成されている。篩部１３１は、茶葉を受け止めて湯飲みに入れないための篩であり、半球殻状にされた網目状のステンレス鋼で形成されている。嵌合部１３２は、注ぎ口部１２０に嵌め込むための部位であり、篩部１３１の開口縁に沿って取り付けられている。
【００３４】
嵌合部１３２は、その外径寸法が、注ぎ口部１２０の内径寸法と同一又は略同一に形成されている。本体部１１０は、壁部１１３と底部１１４との厚みが同一であり、厚みの異なる部分が少ないため、ヒケやボイドができにくい。注ぎ口部１２０は、筒状であるため径の小さい湯飲みにも容易に注ぐことができる。濾過部１３０が、注ぎ口部１２０を塞ぐように嵌め込まれて取り付けられているため、本体部１１０の容積が大きくなる。このため、本体部１１０に入れられた茶葉（抽出対象物）がお湯（抽出溶媒）の中で十分に開くことができる。
【００３５】
本例において、二個の抽出容器１を積み重ねて使用しているが、二個以上の複数個を積み重ねても良い。本例において、本体部１０は、コポリエステルで説明しているが、透明度が高く、一定の厚みも有する部材であれば、アクリル、ポリカーボネート、ポリプロピレン及びポリオレフィン等その他の合成樹脂でも良い。本例において、抽出容器１は、耐熱温度が１００℃のコポリエステルで形成されているが、熱伝導性が悪く断熱性に優れた耐熱温度が１００℃〜１５０℃のコポリエステルやその他の合成樹脂でも良い。本例において、本体部１０及び蓋部４０は、射出成形により形成されているが、切削加工、３Ｄプリンターによる積層造形その他の機械加工によりコポリエステルを加工して形成しても良い。
【００３６】
篩部３１は、半球殻状にされた網目状のステンレス鋼で形成されているが、茶葉の大きさなどに応じて他の形状でも良い。例えば、篩部３１は、半球殻状にされた透明のトライタンに複数の穴を開けて形成されたものでも良い。目盛り部５０は、本体部１０に形成されているが、濾過部３０に形成されても良い。以上、本発明の種々の実施形態を説明したが、本発明は、この実施形態に限定されることはない。本発明の目的、趣旨を逸脱しない範囲内での変更が可能なことはいうまでもない。
【符号の説明】
【００３７】
１        ：抽出容器
１０      ：本体部
１０ｈ    ：開口部
１１      ：開口縁部
１２      ：載置部
１３      ：壁部
１４      ：底部
２０      ：注ぎ口部
３０      ：濾過部
３１      ：篩部
３２      ：鍔部
４０      ：蓋部
４１      ：蓋本体部
４２      ：積重部
５０      ：目盛り部
１０１    ：抽出容器
【図１】
2019076245.tif 000003
【図２】
2019076245.tif 000004
【図３】
2019076245.tif 000005
【図４】
2019076245.tif 000006
【図５】
2019076245.tif 000007
【図６】
2019076245.tif 000008